(57)【要約】【課題】手摺の組み立て作業を容易にすると共に、手摺の角度調節及び取付作業を容易に行えるようにし、かつ、手摺の固定を強固に行えるようにすること。【解決手段】下方が開口する手摺笠木１の溝部１２内に摺動可能に挿入される連結部材３と、連結部材３の下面中央部に設けられた屈曲用凹部３０と支持片４１の上端支持部４４を当接配置した状態において、連結部材３の端部に設けられたねじ孔３３に押しねじ３４を螺合して、押しねじ３４の先端部を手摺笠木１の溝部１２の内面（上面）すなわち凹条１１の内面（上面）に押圧すると共に、屈曲用凹部３０の両端部を中心として連結部材３を下方に曲げ変形させて手摺笠木１の水平リップ部１４に押圧して、手摺笠木１とブラケット４を角度調節可能に固定する。【選択図】　図４
2004019364.tif 000002
【特許請求の範囲】
【請求項１】
下方が開口する溝部を長手通しに有すると共に、溝部の開口部両側に水平リップ部を対向して設ける手摺笠木と、この手摺笠木の溝部内に摺動可能に挿入される連結部材と、被取付固定部に突設されると共に、上記連結部材の下面に角度調節可能に当接される支持片を有するブラケットとを具備し、
上記連結部材は、上記水平リップ部に係合可能に遊嵌されると共に、下面中央部における長手方向と直交する方向に屈曲用凹部を形成し、かつ、長手方向の両端部に、押しねじが螺合可能なねじ孔を上下に貫通状に設け、
上記ブラケットの支持片は、上記水平リップ部上面に係合すると共に、上記連結部材の屈曲用凹部に当接係合する上端支持部を突設し、
上記手摺笠木の溝部内に、上記連結部材と支持片とを当接配置した状態で、連結部材に設けられた上記両ねじ孔にそれぞれ上記押しねじを螺合して手摺笠木の溝部内面に押しねじを押圧すると共に、連結部材を屈曲用凹部を中心として下方に曲げ変形を起こして連結部材の両端部を手摺笠木の水平リップ部に押圧することによって手摺笠木とブラケットを角度調節可能に固定する、ことを特徴とする手摺の角度調節構造。
【請求項２】
請求項１記載の手摺の角度調節構造において、
上記手摺笠木の溝部を断面略矩形状に形成すると共に、この溝部の上面に、この溝部内に向かって開口する凹条を沿設し、上記連結部材は、上記凹条内に摺動可能に挿入される凸条と、上記溝部内に摺動可能に遊嵌される矩形状基部とからなる断面凸型に形成してなる、ことを特徴とする手摺の角度調節構造。
【請求項３】
請求項１又は２記載の手摺の角度調節構造において、
上記連結部材の屈曲用凹部を略円弧状に形成し、上記支持片の上端支持部を、上記屈曲用凹部に摺動可能に当接係合する断面略円弧状に形成してなる、ことを特徴とする手摺の角度調節構造。
【発明の詳細な説明】
【０００１】
【発明の属する技術分野】
この発明は、手摺の取付構造に関するものであって、更に詳細には、手摺の角度調整可能な取付構造に関するものである。
【０００２】
【従来の技術】
一般に、建物の玄関アプローチ等の階段・傾斜路では、手摺の取付け基準となる路面が階段やスロープのように傾斜角度等の形態が様々であるため、支柱上端と手摺笠木との取付部位において角度や高さ調整を行う必要がある。
【０００３】
従来この種の手摺の取付構造としては、例えば特公昭５６−４８６６３号公報や特許第２５７６９６５号公報に開示されているものが知られている。このうち、特公昭５６−４８６６３号公報に開示されている手摺の取付構造は、手摺保持部材が手摺部材の溝部の形状に合わせた断面鞍形の棒状体からなり、この棒状体の中央に長溝孔を穿設し、この長溝孔内に連結杆の上端部を嵌合して適宜止めピンにより枢着係合することで、連結杆に対して手摺保持部材を傾動自在に構成してなる。また、手摺保持部材は止めねじにより手摺部材に押しつけるように係止されている。
【０００４】
このように構成される手摺の取付構造によれば、手摺保持部材の溝部に挿入された手摺保持部材と連結杆の上端部が適宜止めピンによって枢着係合されているので、手摺部材と連結杆の角度調節をすることができる。
【０００５】
また、特許第２５７６９６５号公報に開示されている手摺の取付構造は、中空状の笠木の下部に長手方向に沿ってスリットを形成し、この笠木を固定するために、支柱の上端部に上記スリットに挿通されるスリット挿通部と、上記笠木の中空部に位置する長尺の支持部材を一体に有するブラケットを設け、支持部材の長手方向中央部に、スリットの両側上縁部に当接され、笠木の揺動支点となる支点部を形成すると共に、支持部材の長手方向両端部に、笠木の中空部の天井部に当接されて笠木を角度調節可能に固定する調整ねじを設ける構造になっている。
【０００６】
このように構成される手摺の取付構造によれば、ブラケットの支持部材の長手方向中央部に、笠木の下部に長手方向に沿って形成されたスリットの両側上縁部に当接して笠木の揺動支点となる支点部が形成されているため、その揺動可能な範囲で笠木の角度調整が可能であり、支持部材の長手方向両端部に設けた調節ねじを笠木の中空部の天井部に当接させて突っ張らせることにより支柱の上端部に笠木を角度調節可能に固定することができる。
【０００７】
【発明が解決しようとする課題】
しかしながら、前者すなわち特公昭５６−４８６６３号公報に記載の手摺の取付構造においては、保持部材である棒状体の形状が手摺内部の形状とほぼ同一となるため、手摺保持部材の係止は止めねじの締め付ける力に左右され、保持部材と連結杆とを強固な固定することができないという問題があった。保持部材に長溝孔を穿設する加工や、保持部材と連結杆の組み立て作業に手間がかかるという問題があった。
【０００８】
また、後者すなわち特許第２５７６９６５号公報に記載の手摺の取付構造においては、ブラケットのスリット挿通部と支持部材が一体に形成され、支持部材に形成された上部及び下部傾斜部によって手摺の傾斜角度が調節されるため、支持部材の傾斜部の角度以上には調節することができず、手摺の角度調節範囲が狭くなるという問題がある。また、範囲内での調節においても、支持部材の両端部に形成された調整ねじの締め付け具合によって調節を行うため、両方の調節ねじを調節して締め付ける必要があり、角度調節に手間がかかると共に、締結作業が面倒であるという問題がある。
【０００９】
この発明は、上記事情に鑑みなされたもので、手摺の組み立て作業を容易にすると共に、手摺の角度調節及び取付作業を容易に行えるようにし、かつ、手摺の固定を強固に行えるようにした手摺の角度調節構造を提供することを目的とするものである。
【００１０】
【課題を解決するための手段】
上記目的を達成するために、この発明の手摺の角度調節構造は、下方が開口する溝部を長手通しに有すると共に、溝部の開口部両側に水平リップ部を対向して設ける手摺笠木と、この手摺笠木の溝部内に摺動可能に挿入される連結部材と、被取付固定部に突設されると共に、上記連結部材の下面に角度調節可能に当接される支持片を有するブラケットとを具備し、　上記連結部材は、上記水平リップ部に係合可能に遊嵌されると共に、下面中央部における長手方向と直交する方向に屈曲用凹部を形成し、かつ、長手方向の両端部に、押しねじが螺合可能なねじ孔を上下に貫通状に設け、　上記ブラケットの支持片は、上記水平リップ部上面に係合すると共に、上記連結部材の屈曲用凹部に当接係合する上端支持部を突設し、　上記手摺笠木の溝部内に、上記連結部材と支持片とを当接配置した状態で、連結部材に設けられた上記両ねじ孔にそれぞれ上記押しねじを螺合して手摺笠木の溝部内面に押しねじを押圧すると共に、連結部材を屈曲用凹部を中心として下方に曲げ変形を起こして連結部材の両端部を手摺笠木の水平リップ部に押圧することによって手摺笠木とブラケットを角度調節可能に固定する、ことを特徴とする（請求項１）。
【００１１】
この発明において、上記手摺笠木の溝部は、下方が開口する長手通しに設けられると共に、開口部両側に水平リップ部を対向して設けるものであり、また、上記連結部材は、水平リップ部に係合可能に遊嵌されると共に、下面中央部における長手方向と直交する方向に屈曲用凹部を形成し、かつ、長手方向の両端部に、押しねじが螺合可能なねじ孔を上下に貫通状に設ける構造であれば、その形状は任意であっても差し支えないが、好ましくは、上記手摺笠木の溝部を断面略矩形状に形成すると共に、この溝部の上面に、この溝部内に向かって開口する凹条を沿設し、上記連結部材は、上記凹条内に摺動可能に挿入される凸条と、上記溝部内に摺動可能に遊嵌される矩形状基部とからなる断面凸型に形成する方がよい（請求項２）。
【００１２】
また、上記連結部材の屈曲用凹部を略円弧状に形成し、上記支持片の上端支持部を、上記屈曲用凹部に摺動可能に当接係合する断面略円弧状に形成する方が好ましい（請求項３）。
【００１３】
なお、この発明において、上記被取付固定部とは、例えば階段、傾斜路あるいは平坦状地面等に立設される支柱や建物等の側壁部等である。この被取付固定部が支柱である場合は、ブラケットの支持片を支柱に対して高さ調節可能に突設する方が好ましい。
【００１４】
請求項１記載の発明によれば、連結部材とブラケットの支持片とを当接係合した仮止め状態で、手摺笠木の溝部内に連結部材を摺動させて支柱の位置に合わせ、支持片を例えば支柱や建物の側壁部等の被取付固定部に突設すると共に、手摺笠木を必要な角度に調節した後、連結部材と支持片とを当接配置した状態で、連結部材に設けられた両ねじ孔にそれぞれ押しねじを螺合して手摺笠木の溝部内面に押しねじを押圧すると共に、連結部材を屈曲用凹部を中心として下方に曲げ変形を起こして連結部材の両端部を手摺笠木の水平リップ部に押圧することによって手摺笠木とブラケットを固定することができる。したがって、手摺笠木とブラケットとを角度調節可能に固定することができると共に、手摺笠木の溝部の水平リップ部に連結部材の両端部を確実かつ強固に押圧することができる。また、連結部材に屈曲用凹部と２つのねじ孔を設け、ブラケットの支持片には、屈曲用凹部に当接係合する上端支持部を突設するので、構成部材である連結部材とブラケットを容易に加工することができる。
【００１５】
請求項２記載の発明によれば、手摺笠木の溝部を断面略矩形状に形成すると共に、この溝部の上面に、この溝部内に向かって開口する凹条を沿設し、連結部材は、凹条内に摺動可能に挿入される凸条と、溝部内に摺動可能に遊嵌される矩形状基部とからなる断面凸型に形成することにより、連結部材の手摺笠木の溝部内の摺動を円滑にすることができると共に、手摺笠木と連結部材との接触面積を増大させることができる。
【００１６】
請求項３記載の発明によれば、連結部材の屈曲用凹部を略円弧状に形成し、支持片の上端支持部を、屈曲用凹部に摺動可能に当接係合する断面略円弧状に形成することにより、連結部材の曲げ変形を容易にすることができると共に、連結部材が曲げ変形した状態においても、屈曲用凹部と支持片の上端支持部との接触面積を増大させて、連結部材と支持片との当接係合を確実にすることができる。
【００１７】
【発明の実施の形態】
以下に、この発明の手摺の角度調節構造について、添付図面に基づいて詳細に説明する。
【００１８】
◎第一実施形態
図１は、手摺の取付状態の一例を示す側面図、図２は、この発明の手摺の角度調節構造の第一実施形態の一部を断面で示す斜視図、図３は、第一実施形態における手摺笠木、連結部材及びブラケットを示す分解斜視図、図４は、手摺の角度調節構造を示す断面図、図５（ａ），（ｂ）は、手摺笠木を所定の角度に取り付ける前及び取り付けた状態を示す断面図である。
【００１９】
上記手摺Ｈは、図１に示すように、階段Ｓあるいは平坦な地面Ｆに立設される複数のパイプ製の支柱Ｐの上端に突設されるブラケット４の支持片４１の上端部に後述する連結部材３を介して横架されている。この場合、ブラケット４の支持片４１は、支柱Ｐの上端に高さ調節及び着脱可能に取り付けられている。また、階段Ｓに立設される支柱Ｐの上端に突設されるブラケット４の支持片４１の高さを調節することによって階段Ｓ部の手摺Ｈは、階段Ｓに対応した角度に調節されている。なお、手摺Ｈの端部にはキャップＣが被着されている。
【００２０】
上記手摺Ｈは、図２ないし図５に示すように、下方が開口する溝部１２を長手通しに形成する断面略Ｃ字状の手摺笠木１と、この手摺笠木１の溝部１２内に摺動可能に挿入される連結部材３と、この連結部材３の下面に角度調節可能に当接される支持片４１を有するブラケット４とで主に構成されている。
【００２１】
上記手摺笠木１は、図２及び図３に示すように、連結部材３が挿入される溝部１２を長手通しに形成する笠木受け１０と、この笠木受け１０の外周に嵌合される笠木本体２０とで構成されている。
【００２２】
上記笠木受け１０は、例えばアルミ製押出形材にて形成されており、断面略矩形状の溝部１２と、この溝部１２の全長に渡って連通する下方に開口する開口部１３と、溝部１２の上面に沿設されると共に、溝部１２内に向かって開口する凹条１１と、溝部１２の対向する両側片１７の下端部から開口部１３の内方に向かって突出する水平リップ部１４とを具備している。また、両側片１７の上端及び下端に延在する取付片１５の角部に円弧状部１６が形成されている。
【００２３】
上記笠木本体２０は、例えば耐候性を有する合成樹脂製材料で形成されており、図２及び図３に示すように、下方に、笠木受け１０と共通の開口部１３を有する断面略Ｃ字状に形成されている。この場合、開口部１３の対向する縁部には、笠木受け１０の取付片１５に係合可能な係合片２１が突設されている。
【００２４】
上記連結部材３は、図２ないし図５に示すように、上記笠木受け１０の溝部１２及び凹条１１内に摺動可能に挿入されると共に、水平リップ部１４と係合可能に溝部１２内に遊嵌されるブロック体に形成されている。すなわち、連結部材３は、凹条１１内に摺動可能に挿入される凸条３１と、溝部１２内に摺動可能に挿入されると共に、水平リップ部１４との間に隙間Ｇをおいて遊嵌される矩形状基部３２とからなる断面凸型に形成されている。また、連結部材３の下面中央部における長手方向と直交する方向（短手方向）には、下方に開口する略円弧状の屈曲用凹部３０が形成され、かつ、連結部材３の長手方向の両端部には、連結部材３の上下を貫通するねじ孔３３が刻設されている。このねじ孔３３には下方から上方へ向かって突出するように押しねじ３４が螺合されている。
【００２５】
上記のように構成される連結部材３は、例えば、亜鉛ダイキャスト、アルミ製押出形材あるいはアルミダイキャスト製材料にて形成されており、両端部に所定以上の圧力が加わった場合に、屈曲用凹部３０を中心として下方側すなわち屈曲用凹部３０の開口側に曲げ変形可能に形成されている。
【００２６】
上記ブラケット４は、図６に示すように、連結部材３の下面に角度調節可能に当接される支持片４１と、この支持片４１を支柱Ｐの上端に高さ調節可能に固定する固定部材５０と、固定部材５０を支柱Ｐに固定する締結ねじ６０とで主に構成されている。
【００２７】
上記支持片４１は、手摺笠木１の開口部１３の開口幅より若干狭い（小さい）厚みを有する略矩形板状の基部４２と、この基部４２の上端に延在する首部４３と、首部４３の上端に突設され、水平リップ部１４の上面に係合すると共に、連結部材３の屈曲用凹部３０に当接係合する上端支持部４４とで構成されている。この場合、上端支持部４４は、円弧状に形成された屈曲用凹部３０内に摺動可能に当接係合するように円柱状に形成されている。したがって、支持片４１の上端支持部４４と連結部材３の屈曲用凹部３０とが、円弧面に沿わせて摺動させて左右に約４５度すなわち水平面に対して±約４５度の範囲で角度調節可能に当接係合されている。このように構成される支持片４１は、例えば亜鉛ダイキャストあるいはアルミダイキャスト製材料にて形成されている。
【００２８】
一方、固定部材５０は、図６に示すように、支持片４１を固定すべく支柱Ｐの開口部内に挿入される対峙する一対の舌片部５１，５２と、これら舌片部５１，５２の上端に連結し、支持片４１を摺動自在に遊嵌する挿通口５３を残して支柱Ｐの開口部を閉塞するキャップ部５４とで構成されている。また、この固定部材５０の一方の舌片部５１には、上下に適宜間隔をおいて締結ねじ６０がねじ込まれる（螺合される）ねじ孔５５が刻設されている。
【００２９】
このように構成される固定部材５０は、例えば亜鉛ダイキャスト製材料にて形成されている。なお、締結ねじ６０には、六角孔６１が設けられており、この六角孔６１内に六角レンチ等の工具（図示せず）を挿入（嵌合）した状態で、工具を回転することによって締結ねじ６０を固定部材５０のねじ孔５５にねじ込む（螺合する）ことができるようになっている。
【００３０】
上記のように構成されるブラケット４を支柱Ｐの上端に突設する（取り付ける）には、まず、支持片４１を固定部材５０の挿通口５３に遊嵌した状態で、支柱Ｐの開口部内に挿入する（図５（ａ）参照）。次に、固定部材５０の両舌片部５１，５２に対して支持片４１を任意の高さに調節した状態で、支柱Ｐの上端部側面に穿設された２つの挿通孔６２内にそれぞれ貫挿される締結ねじ６０を舌片部５１に刻設されたねじ孔５５にねじ込んで先端を支持片４１の側面に押圧する。これにより、支持片４１と固定部材５０とが固定されると共に、両舌片部５１，５２がそれぞれキャップ部５４の連結部付近で変形して支柱Ｐの内壁に圧接固定されて支持片４１が所定の高さに固定される。
【００３１】
次に、手摺Ｈを傾斜角度を付けて取り付ける手順について説明する。
【００３２】
上記のように構成された手摺Ｈを、階段及び傾斜路等に取り付けるには、まず、予め、工場又は施工現場において、笠木受け１０と笠木本体２０を組付けた状態にしておく。次に、連結部材３と支持片４１を、屈曲用凹部３０と上端支持部４４が当接係合された状態で、笠木受け１０の端部から溝部１２内に挿入し、連結部材３の凸条３１を手摺笠木１の凹条１１内に摺動させると共に、矩形状基部３２を溝部１２内に摺動させながら手摺笠木１の任意の位置まで移動し、支持片４１の上端支持部４４と笠木受け１０の水平リップ部１４が係合した状態にしておく。
【００３３】
この状態で、階段や傾斜路等に予め設置された支柱Ｐの上端に、固定部材５０と締結ねじ６０とをもって支持片４１を任意の高さに固定する。次に、手摺笠木１を必要な角度に調節した後、連結部材３と支持片４１とを当接配置した状態で、連結部材３に設けられた両ねじ孔３３にそれぞれ押しねじ３４を螺合して手摺笠木１の溝部１２内面すなわち凹条１１の内面（上面）に押しねじ３４を押圧する。この押しねじ３４の押圧力により、連結部材３は屈曲用凹部３０を中心として下方に曲げ変形を起こして連結部材３の両端部が手摺笠木１の水平リップ部１４に押圧（係合）される。これにより、手摺笠木１とブラケット４を角度調節可能に固定することができ、手摺笠木１の溝部１２の水平リップ部１４に連結部材３の両端部を確実かつ強固に押圧することができる。なお、手摺笠木１とブラケット４を固定した後、手摺笠木１の開口部１３には、目隠し用の帯状パッキン１８が装着される（図６参照）。
【００３４】
また、上記のような構造とすることにより、連結部材３に屈曲用凹部３０と２つのねじ孔３３を設け、ブラケット４の支持片４１には、屈曲用凹部３０に当接係合する上端支持部４４を突設するので、構成部材である連結部材３とブラケット４の支持片４１を容易に加工することができる。
【００３５】
また、手摺笠木１の溝部１２を断面略矩形状に形成すると共に、この溝部１２の内面（上面）に、この溝部１２内に向かって開口する凹条１１を沿設し、連結部材３には、凹条１１内に摺動可能に挿入される凸条３１と、溝部１２内に摺動可能に遊嵌される矩形状基部３２とからなる断面凸型に形成することにより、連結部材３の手摺笠木１の溝部１２内の摺動を円滑にすることができると共に、手摺笠木１と連結部材３との接触面積を増大させることができる。したがって、手摺笠木１の固定を確実かつ強固にすることができる。
【００３６】
更にまた、連結部材３の屈曲用凹部３０を略円弧状に形成し、支持片４１の上端支持部４４を、屈曲用凹部３０に摺動可能に当接係合する断面略円弧状に形成することにより、連結部材３の曲げ変形を容易にすることができると共に、連結部材３が曲げ変形した状態においても、屈曲用凹部３０と支持片４１の上端支持部４４との接触面積を増大させて、連結部材１と支持片４１との当接係合を確実にすることができる。
【００３７】
なお、上記説明では、ブラケット４の支持片４１の高さ調節を行った後に、手摺笠木１の角度調節を行って固定する場合について説明したが、逆の手順、すなわち手摺笠木１と支持片４１の角度調節を行って固定した後に、支柱Ｐに対して支持片４１の高さ調節を行い、固定部材５０と締結ねじ６０をもって支柱Ｐに支持片４１を固定するようにしてもよく、あるいは、支持片４１と支柱Ｐとの高さ調節は、手摺笠木１と支持片４１の角度調節時と同時に行ってもよく、手摺笠木１の取付角度と取付高さを調節しながらそれぞれを仮締めし、最終的に増し締めして固定するようにしてもよい。
【００３８】
上記のようにして、手摺Ｈを組立てることができるので、階段Ｓや傾斜路等における傾斜した場所への手摺Ｈの取付作業を容易にすることができる。
【００３９】
なお、平坦状の地面Ｆに設置される手摺Ｈにおいては、各支柱Ｐの上端に突設される各ブラケット４の支持片４１の高さ調節を同一レベルにして、上述と同様の手順で手摺笠木１を固定することによって、地面Ｆと平行に手摺Ｈを設置することができる。この場合、図１に示すように、階段Ｓに設置される手摺Ｈと、地面Ｆに設置される手摺Ｈを上述した手順で取り付けることができるので、両手摺Ｈの端部を可及的に近接して設置することができる。これにより、ジョイント等を用いずに階段Ｓに設置される傾斜手摺Ｈと、地面Ｆに設置される水平手摺Ｈとを連続に近い状態に設置することができ、取付作業の簡略化及びコストの低廉化を図ることができる。
【００４０】
◎第二実施形態
図７は、この発明の手摺の角度調節構造の第二実施形態の一部を断面で示す斜視図、図８は、第二実施形態における手摺笠木、連結部材及びブラケットを示す分解斜視図、図９は、第二実施形態の手摺の角度調節構造を示す断面図である。
【００４１】
第二実施形態は、連結部材３Ａを手摺笠木１の溝部１２内に摺動可能にかつ水平リップ部１４上面との間に隙間Ｇをおいて水平リップ部１４と係合し得るように遊嵌可能にし、また、ブラケット４Ａの支持片４１Ａの上端支持部４４Ａを円柱以外の形状に形成した場合である。
【００４２】
この場合、連結部材３Ａは、手摺笠木１の溝部１２内に摺動可能にかつ水平リップ部１４上面との間に隙間Ｇをおいて遊嵌可能に挿入される略矩形状のブロック体にて形成されている。また、連結部材３Ａの下面中央部における長手方向と直交する方向には、上端に円弧状面３５を有する略Ｖ字状の屈曲用凹部３０Ａが形成され、かつ、長手方向の両端部に、押しねじ３４が螺合可能なねじ孔３３が上下に貫通状に設けられている。
【００４３】
一方、ブラケット４の支持片４１Ａは、上端支持部４４Ａが、略Ｖ字状の屈曲用凹部３０Ａの先端（上面）の円弧状面３５に摺動可能に当接係合する円弧状凸面３６と、手摺笠木１の水平リップ部１４の上面に係合する平坦状下面３７とを有する略三角柱にて形成されている。
【００４４】
なお、第二実施形態において、その他の部分は第一実施形態と同じであるので、同一部分には同一符号を付して説明は省略する。
【００４５】
上記のように構成される第二実施形態の手摺Ｈを取り付けるには、第一実施形態と同様に、まず、予め、工場又は施工現場において、笠木受け１０と笠木本体２０を組付けた状態にしておく。次に、連結部材３Ａと支持片４１Ａを、それぞれ屈曲用凹部３０Ａと上端支持部４４Ａが当接係合された状態で、笠木受け１０の端部から溝部１２内に挿入し、連結部材３Ａを溝部１２内に摺動させながら手摺笠木１の任意の位置まで移動し、支持片４１Ａの上端支持部４４Ａの平坦状下面３７と笠木受け１０の水平リップ部１４が係合した状態にしておく。
【００４６】
この状態で、傾斜路等に予め設置された支柱Ｐの上端に、固定部材５０と締結ねじ６０とをもって支持片４１Ａを任意の高さに固定すると共に、手摺笠木１を必要な角度に調節した後、連結部材３と支持片４１Ａとを当接配置した状態で、連結部材３Ａに設けられた両ねじ孔３３にそれぞれ押しねじ３４を螺合して手摺笠木１の溝部１２内面すなわち凹条１１の内面（上面）に押しねじ３４を押圧する。この押しねじ３４の押圧力により、連結部材３Ａは屈曲用凹部３０Ａを中心として下方に曲げ変形を起こして連結部材３Ａの両端部が手摺笠木１の水平リップ部１４に押圧（係合）される。これにより、手摺笠木１とブラケット４を角度調節可能に固定することができ、手摺笠木１の溝部１２の水平リップ部１４に連結部材３Ａの両端部を確実かつ強固に押圧することができる。
【００４７】
◎その他の実施形態
（１）上記第一実施形態では、連結部材３の屈曲用凹部３０が略円弧状に形成され、ブラケット４の支持片４１の上端支持部４４が、屈曲用凹部３０に摺動可能に当接係合する円柱状に形成される場合について説明したが、屈曲用凹部３０を第二実施形態の略Ｖ字状の屈曲用凹部３０Ａに代えると共に、支持片４１の上端支持部４４を第二実施形態の略三角柱状上端支持部４４Ａに代えてもよい。また、上記第二実施形態における連結部材３Ａを第一実施形態と同様に、矩形状基部３２と凸条３１とからなる断面凸型に形成してもよい。
【００４８】
（２）上記実施形態では、手摺Ｈを支柱Ｐの上端に突設されるブラケット４を介して角度調節可能に取り付ける場合について説明したが、この発明は、必ずしも支柱Ｐの上端部に突設されるブラケット４を介して手摺Ｈを取り付ける場合に限定されるものではない。例えば、図１０に示すように、建物等の側壁部Ｗに突設されるブラケット４Ｂを介して手摺笠木１を角度調節可能に取り付けるようにしてもよい。この場合、建物等の側壁部Ｗに予め設置されたアンカーボルトＢ等に、略クランク状のブラケット４Ｂを取り付け、このブラケット４Ｂに形成された支持片４１Ｂの上端に形成された上端支持部４４を、連結部材３の屈曲用凹部３０に当接係合させた状態で、連結部材３の両端部に設けられたねじ孔３３にそれぞれ押しねじ３４をねじ込んで、手摺笠木１の溝部１２内面すなわち凹条１１の内面（上面）に押しねじ３４を押圧すると共に、屈曲用凹部３０の両端部を中心として連結部材３を下方に曲げ変形させて手摺笠木１の水平リップ部１４に押圧してもよい。
【００４９】
なお、図１０に示す第三実施形態においても、上記第二実施形態と同様に、略Ｖ字状の屈曲用凹部３０Ａを有する矩形状の連結部材３Ａとし、支持片４１Ｂの上端に形成される略三角柱状の上端支持部４４Ａを屈曲用凹部３０Ａに当接係合させるようにしてもよい。
【００５０】
上記のように構成される手摺Ｈを、階段及び傾斜路等の側壁部Ｗに取り付けるには、上記第一実施形態と同様に、予め、工場又は施工現場において、笠木受け１０と笠木本体２０を組付けた状態にしておく。次に、連結部材３と支持片４０Ｂを、屈曲用凹部３０と上端支持部４４が当接係合された状態で、笠木受け１０の端部から溝部１２内に挿入し、支持片４１Ｂの上端支持部４４と笠木受け１０の水平リップ部１４が当接した状態にしておく。
【００５１】
この状態で、階段や傾斜路等の側壁部Ｗに予め設置されたアンカーボルトＢを、ブラケット４Ｂの固定片４５に穿設された挿通孔（図示せず）に貫挿し、先端部をナットＮによって締め付けて固定する。
【００５２】
このようにブラケット４Ｂを側壁部Ｗに固定した後、階段や傾斜路等の勾配に合わせて、ブラケット４Ｂと手摺笠木１の角度調節を行い、手摺笠木１の開口部１３から連結部材３の両端部に設けられたねじ孔３１にそれぞれ押しねじ３２をねじ込むと共に、押しねじ３２の先端部を溝部１２の内面（上面）すなわち凹条１１の内面（上面）に押圧すると共に、屈曲用凹部３０の両端部を中心として連結部材３を下方に曲げ変形させて手摺笠木１の水平リップ部１４に押圧して手摺笠木１を固定する。
【００５３】
上記のように手摺Ｈを構成するので、階段及び傾斜路等の傾斜した場所の側壁部Ｗに手摺Ｈを取り付ける場合でも、第一実施形態と同様に手摺の取付作業を容易にすることができる。
【００５４】
なお、第三実施形態においては、上記ブラケット４Ｂを、第一実施形態の支柱Ｐに取付ける形態に代えて、略クランク状に折曲加工した以外は、手摺笠木１、連結部材３，３Ａ及び上端支持部４４，４４Ａの構造は，第一実施形態又は第二実施形態と同じであるので、同一部分には同一符号を付して、説明は省略する。
【００５５】
【発明の効果】
以上に説明したように、この発明の手摺の角度調節構造は、上記のように構成されているので、以下のような優れた効果が得られる。
【００５６】
（１）請求項１記載の発明によれば、連結部材とブラケットの支持片とを当接係合した仮止め状態で、手摺笠木の溝部内に連結部材を摺動させて支柱の位置に合わせ、支持片を支柱の上端部に取り付けると共に、手摺笠木を必要な角度に調節した後、連結部材と支持片とを当接配置した状態で、連結部材に設けられた両ねじ孔にそれぞれ押しねじを螺合して手摺笠木の溝部内面に押しねじを押圧すると共に、連結部材を屈曲用凹部を中心として下方に曲げ変形を起こして連結部材の両端部を手摺笠木の水平リップ部に押圧することによって手摺笠木とブラケットを固定するので、手摺笠木とブラケットとを角度調節可能に固定することができると共に、手摺笠木の溝部の水平リップ部に連結部材の両端部を確実かつ強固に押圧することができる。また、連結部材に屈曲用凹部と２つのねじ孔を設け、ブラケットの支持片には、屈曲用凹部に当接係合する上端支持部を突設するので、構成部材である連結部材やブラケットの加工を容易にでき、コストの低廉化を図ることができる。
【００５７】
（２）請求項２記載の発明によれば、手摺笠木の溝部を断面略矩形状に形成すると共に、この溝部の上面に、この溝部内に向かって開口する凹条を沿設し、連結部材は、凹条内に摺動可能に挿入される凸条と、溝部内に摺動可能に遊嵌される矩形状基部とからなる断面凸型に形成することにより、連結部材の手摺笠木の溝部内の摺動を円滑にすることができると共に、手摺笠木と連結部材との接触面積を増大させることができるので、上記（１）に加えて更に手摺笠木の固定を強固にすることができる。
【００５８】
（３）請求項３記載の発明によれば、連結部材の屈曲用凹部を略円弧状に形成し、支持片の上端支持部を、屈曲用凹部に摺動可能に当接係合する断面略円弧状に形成することにより、連結部材の曲げ変形を容易にすることができると共に、連結部材が曲げ変形した状態においても、屈曲用凹部と支持片の上端支持部との接触面積を増大させて、連結部材と支持片との当接係合を確実にすることができるので、上記（１）、（２）に加えて更に手摺笠木の角度調節作業を容易にすることができると共に、手摺笠木の固定を強固にすることができる。
【図面の簡単な説明】
【図１】手摺の取付状態の一例を示す側面図である。
【図２】この発明の手摺の角度調節構造の第一実施形態の一部を断面で示す斜視図である。
【図３】第一実施形態における手摺笠木、連結部材及びブラケットを示す分解斜視図である。
【図４】第一実施形態の取付状態を示す断面図である。
【図５】第一実施形態における手摺笠木を傾斜角度を付けて取り付ける前の状態を示す断面図（ａ）及び手摺笠木を傾斜角度を付けて取り付けた状態を示す断面図（ｂ）である。
【図６】この発明におけるブラケットを支柱に固定する前の状態を示す断面図（ａ）及び固定状態を示す断面図（ｂ）である。
【図７】この発明の手摺の角度調節構造の第二実施形態の一部を断面で示す斜視図である。
【図８】第二実施形態における手摺笠木、連結部材及びブラケットを示す分解斜視図である。
【図９】第二実施形態の取付状態を示す断面図である。
【図１０】この発明の手摺の角度調節構造の第三実施形態の一部を断面で示す斜視図である。
【符号の説明】
１　手摺笠木
３，３Ａ　連結部材
４，４Ｂ　ブラケット
１１　凹条
１２　溝部
１３　開口部
１４　水平リップ部
３０，３０Ａ　屈曲用凹部
３１　凸条
３２　矩形状基部
３３　ねじ孔
３４　押しねじ
３５　円弧状面
３６　円弧状凸面
４１，４１Ａ　支持片
４４，４４Ａ　上端支持部
Ｐ　支柱（被取付固定部）
Ｗ　側壁部（被取付固定部）
【図１】
2004019364.tif 000003
【図２】
2004019364.tif 000004
【図３】
2004019364.tif 000005
【図４】
2004019364.tif 000006
【図５】
2004019364.tif 000007
【図６】
2004019364.tif 000008
【図７】
2004019364.tif 000009
【図８】
2004019364.tif 000010
【図９】
2004019364.tif 000011
【図１０】
2004019364.tif 000012